【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
基地局で実行される方法であって、
追跡のための第１のチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の伝送のための第１のリソース構成を端末デバイスに伝送することと、
前記追跡のための第１のＣＳＩ−ＲＳを前記端末デバイスに第２のスロットで伝送することと、
を有し、
前記第１のリソース構成は、
ＴＲＵＥに設定されたパラメータＴＲＳ−Ｉｎｆｏと、
前記追跡のための第１のＣＳＩ−ＲＳの伝送をトリガーする第１の信号を含む第１のスロットと、前記追跡のための第１のＣＳＩ−ＲＳが伝送される前記第２のスロットの間にある第１のオフセットを示す第１のパラメータと、
を含み、
前記第１のオフセットは、
ＴＲＵＥに設定された前記パラメータＴＲＳ−Ｉｎｆｏが無い第２のＣＳＩ−ＲＳの伝送のための第２のリソース構成に含まれる第２のパラメータで示される第２のオフセットから独立しており、
前記第１のオフセットは、端末デバイスによって要求される閾値の条件を満たすように設定され、
前記第２のオフセットは、
前記第２のＣＳＩ−ＲＳの伝送をトリガーする第２の信号を含む第３のスロットと、前記第２のＣＳＩ−ＲＳが伝送される第４のスロットとの間にある、
方法。
【請求項２】
前記追跡のための第１のＣＳＩ−ＲＳ及び前記第２のＣＳＩ−ＲＳは、異なる疑似コロケーション（ＱＣＬ：Ｑｕａｓｉ−Ｃｏ−Ｌｏｃａｔｉｏｎ）パラメータに関連付けられている、
請求項１に記載の方法。
【請求項３】
前記第１のリソース構成は、周期的なＣＳＩ−ＲＳのためのリソースの集合と対応づけられ、
前記周期的なＣＳＩ−ＲＳのためのリソースの集合は、時間ドメインにおいて１つ目のスロットと２つ目のスロットの順で連続する２つのスロットを有する、４つの周期的なＣＳＩ−ＲＳのためのリソースを設定され、
前記第１のオフセットは、前記１つ目のスロットのためのオフセットである、
請求項１又は２に記載の方法。
【請求項４】
前記第１のオフセットを決定することを、さらに有し、
前記第１のオフセットを決定することは、
前記追跡のための第１のＣＳＩ−ＲＳについて予め定義された第１の候補オフセットの集合を取得することと、
前記第１の候補オフセットの集合から前記第１のオフセットを決定することと、
を有し、
前記第１の候補オフセットの集合は、第２の候補オフセットの集合と少なくとも部分的に異なり、前記第２のオフセットは、前記第２の候補オフセットの集合から決定される、
請求項１から３のいずれか１項に記載の方法。
【請求項５】
前記追跡のための第１のＣＳＩ−ＲＳは非周期的である、
請求項１から４のいずれか１項に記載の方法。
【請求項６】
前記第１の信号は、ダウンリンク制御情報（ＤＣＩ：Ｄｏｗｎｌｉｎｋ  Ｃｏｎｔｒｏｌ  Ｉｎｆｏｒｍａｔｉｏｎ）フォーマットで伝送される、
請求項１から５のいずれか１項に記載の方法。
【請求項７】
前記追跡のための第１のＣＳＩ−ＲＳは第１のサブキャリア間隔（ＳＣＳ：Ｓｕｂｃａｒｒｉｅｒ  Ｓｐａｃｉｎｇ）に関連付けられ、前記追跡のための第１の信号は前記第１のＳＣＳとは異なる第２のＳＣＳに関連付けられ、
前記方法は、前記第１のオフセットを決定することを、さらに有し、
前記第１のオフセットを決定することは、少なくとも前記第１のＳＣＳに基づいて前記第１のオフセットを決定することを、有する、
請求項１から６のいずれか１項に記載の方法。
【請求項８】
少なくとも前記第１のリソース構成に基づいて、前記第１の信号及び前記追跡のための第１のＣＳＩ−ＲＳを前記端末デバイスに伝送することを、さらに有する、
請求項１から７のいずれか１項に記載の方法。
【請求項９】
端末デバイスで実行される方法であって、
追跡のための第１のチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の伝送のための第１のリソース構成を基地局から受信することと、
前記追跡のための第１のＣＳＩ−ＲＳを前記基地局から第２のスロットで受信することと、
を有し、
前記第１のリソース構成は、
ＴＲＵＥに設定されたパラメータＴＲＳ−Ｉｎｆｏと、
前記追跡のための第１のＣＳＩ−ＲＳの伝送をトリガーする第１の信号を含む第１のスロットと、前記追跡のための第１のＣＳＩ−ＲＳが受信される前記第２のスロットの間にある第１のオフセットを示す第１のパラメータと、
を含み、
前記第１のオフセットは、
ＴＲＵＥに設定された前記パラメータＴＲＳ−Ｉｎｆｏが無い第２のＣＳＩ−ＲＳの伝送のための第２のリソース構成に含まれる第２のパラメータで示される第２のオフセットから独立しており、
前記第１のオフセットは、端末デバイスによって要求される閾値の条件を満たすように設定され、
前記第２のオフセットは、
前記第２のＣＳＩ−ＲＳの伝送をトリガーする第２の信号を含む第３のスロットと、前記第２のＣＳＩ−ＲＳが受信される第４のスロットとの間にある、
方法。
【請求項１０】
前記追跡のための第１のＣＳＩ−ＲＳ及び前記第２のＣＳＩ−ＲＳは、異なる疑似コロケーション（ＱＣＬ：Ｑｕａｓｉ−Ｃｏ−Ｌｏｃａｔｉｏｎ）パラメータに関連付けられている、
請求項９に記載の方法。
【請求項１１】
前記第１のリソース構成は、周期的なＣＳＩ−ＲＳのためのリソースの集合と対応づけられ、
前記周期的なＣＳＩ−ＲＳのためのリソースの集合は、時間ドメインにおいて１つ目のスロットと２つ目のスロットの順で連続する２つのスロットを有する、４つの周期的なＣＳＩ−ＲＳのためのリソースを設定され、
前記第１のオフセットは、前記１つ目のスロットのためのオフセットである、
請求項９又は１０に記載の方法。
【請求項１２】
前記追跡のための第１のＣＳＩ−ＲＳは非周期的である、
請求項９から１１のいずれか１項に記載の方法。
【請求項１３】
前記第１の信号は、ダウンリンク制御情報（ＤＣＩ：Ｄｏｗｎｌｉｎｋ  Ｃｏｎｔｒｏｌ  Ｉｎｆｏｒｍａｔｉｏｎ）フォーマットで伝送される、
請求項９から１２のいずれか１項に記載の方法。
【請求項１４】
追跡のための第１のチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の伝送のための第１のリソース構成を端末デバイスに伝送するよう構成された送信部を有し、
前記送信部は、前記追跡のための第１のＣＳＩ−ＲＳを前記端末デバイスに第２のスロットで伝送するよう構成され、
前記第１のリソース構成は、
ＴＲＵＥに設定されたパラメータＴＲＳ−Ｉｎｆｏと、
前記追跡のための第１のＣＳＩ−ＲＳの伝送をトリガーする第１の信号を含む第１のスロットと、前記追跡のための第１のＣＳＩ−ＲＳが伝送される前記第２のスロットの間にある第１のオフセットを示す第１のパラメータと、
を含み、
前記第１のオフセットは、
ＴＲＵＥに設定された前記パラメータＴＲＳ−Ｉｎｆｏが無い第２のＣＳＩ−ＲＳの伝送のための第２のリソース構成に含まれる第２のパラメータで示される第２のオフセットから独立しており、
前記第１のオフセットは、端末デバイスによって要求される閾値の条件を満たすように設定され、
前記第２のオフセットは、
前記第２のＣＳＩ−ＲＳの伝送をトリガーする第２の信号を含む第３のスロットと、前記第２のＣＳＩ−ＲＳが伝送される第４のスロットとの間にある、
基地局。
【請求項１５】
追跡のための第１のチャネル状態情報参照信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）の伝送のための第１のリソース構成を基地局から受信するよう構成された受信部を有し、
前記受信部は、前記追跡のための第１のＣＳＩ−ＲＳを前記基地局から第２のスロットで受信するよう構成され、
前記第１のリソース構成は、
ＴＲＵＥに設定されたパラメータＴＲＳ−Ｉｎｆｏと、
前記追跡のための第１のＣＳＩ−ＲＳの伝送をトリガーする第１の信号を含む第１のスロットと、前記追跡のための第１のＣＳＩ−ＲＳが受信される前記第２のスロットの間にある第１のオフセットを示す第１のパラメータと、
を含み、
前記第１のオフセットは、
ＴＲＵＥに設定された前記パラメータＴＲＳ−Ｉｎｆｏが無い第２のＣＳＩ−ＲＳの伝送のための第２のリソース構成に含まれる第２のパラメータで示される第２のオフセットから独立しており、
前記第１のオフセットは、端末デバイスによって要求される閾値の条件を満たすように設定され、
前記第２のオフセットは、
前記第２のＣＳＩ−ＲＳの伝送をトリガーする第２の信号を含む第３のスロットと、前記第２のＣＳＩ−ＲＳが受信される第４のスロットとの間にある、
端末デバイス。
【手続補正２】
【補正対象書類名】明細書
【補正対象項目名】発明の名称
【補正方法】変更
【補正の内容】
【発明の名称】参照信号構成のための方法、基地局及び端末デバイス